(57)【要約】【課題】カバーを取付ける前に解除ボタンを係止するようにして、カバーを取付けるときに解除ボタンがぐらついたり外れたりしない、組立て性が安定、向上した電気掃除機を提供することを目的とする。【解決手段】本体内部に設けられた、塵埃を吸い込むための吸引風を発生させる電動送風機と、塵埃を収容するための集塵部と、一端が本体に接続されたホースと、ホースのもう一端に接続される手元ハンドル体と、手元ハンドル体に設けられた管体と着脱可能に接続される延長管と、管体に設けられた、延長管との接続を解除するための解除ボタンと、を備え、解除ボタンは、解除動作の方向と直交する方向において、その両側に回動軸を有し、管体には、解除ボタンを保持する保持部が設けられ、保持部には、解除ボタンを管体に取付けた状態で、回動軸の何れか片側の上部を係止する係止部が設けられているものである。【選択図】図１２
2015221153.tif 000002
【特許請求の範囲】
【請求項１】
本体内部に設けられた、塵埃を吸い込むための吸引風を発生させる電動送風機と、
前記塵埃を収容するための集塵部と、
一端が前記本体に接続されたホース体と、
該ホース体のもう一端に接続される手元ハンドル体と、
該手元ハンドル体に設けられた管体と着脱可能に接続される延長管と、
前記管体に設けられた、前記延長管との接続を解除するための解除ボタンと、を備え、
該解除ボタンは、解除動作の方向と直交する方向において、その両側に回動軸を有し、
前記管体には、前記解除ボタンを保持する保持部が設けられ、該保持部には、前記解除ボタンを前記管体に取付けた状態で、前記回動軸の何れか片側の上部を係止する係止部が設けられていることを特徴とする電気掃除機。
【請求項２】
前記解除ボタンは、前記管体に取付けた状態で、付勢手段により解除動作に反する方向に付勢されていることを特徴とする請求項１に記載の電気掃除機。
【請求項３】
前記手元ハンドル体は、前記管体の上方を覆う上カバーを備え、
該上カバーは、前記解除ボタンを操作可能に貫通露出する開口を有し、
前記上カバーは、前記手元ハンドル体に取付けられた状態で、前記解除ボタンの前記係止部に係止されていない側の回動軸の上部を押さえる回動軸押さえ部を備えていることを特徴とする請求項１あるいは請求項２何れかに記載の電気掃除機。
【発明の詳細な説明】
【技術分野】
【０００１】
本発明は電気掃除機に関し、詳しくは延長管が着脱可能な電気掃除機に関する。
【背景技術】
【０００２】
電気掃除機は、吸込口体や延長管等が接続された状態で使用されるが、掃除をする場所に応じて、あるいは掃除終了後に収納するために、それらの接続を解除しなければならない場合がある。そのため、接続部の近傍に接続を解除するための解除ボタンを備えた掃除機が知られている（特許文献１参照）。
【先行技術文献】
【特許文献】
【０００３】
【特許文献１】特開２０１３−４３６号公報（第５頁、図４）
【発明の概要】
【発明が解決しようとする課題】
【０００４】
接続を解除するための解除ボタンは、特許文献１に記載の従来の電気掃除機のように、接続を解除しない方向にばね部材によって付勢されており、その付勢力に抗して解除ボタンを操作すると接続が解除されるようになっている。
【０００５】
解除ボタンは、それが設けられている操作管本体に、ばね部材とともに解除ボタンを載せて、その状態を維持しながら上面カバーを被せ、上面カバーで挟み込みながら上面カバーを操作管本体にネジで取り付けるようになっている。
【０００６】
しかしながら、ばね部材の上に解除ボタン載せるだけであるため、組立て時に解除ボタンが安定せず、向きを少し変えただけでも上面カバーで挟み込む前に解除ボタンが外れてしまったり、解除ボタンが上面カバーの貫通孔から出てこなかったりするなどして、組立て性が悪いという課題があった。
【０００７】
本発明は、以上のような課題を解決するためになされたもので、カバーを取付ける前に解除ボタンを係止するようにして、カバーを取付けるときに解除ボタンがぐらついたり外れたりしない、組立て性が安定、向上した電気掃除機を提供することを目的とする。
【課題を解決するための手段】
【０００８】
課題を解決する本発明に係る電気掃除機は、本体内部に設けられた、塵埃を吸い込むための吸引風を発生させる電動送風機と、塵埃を収容するための集塵部と、一端が本体に接続されたホースと、ホースのもう一端に接続される手元ハンドル体と、手元ハンドル体に設けられた管体と着脱可能に接続される延長管と、管体に設けられた、延長管との接続を解除するための解除ボタンと、を備え、解除ボタンは、解除動作の方向と直交する方向において、その両側に回動軸を有し、管体には、解除ボタンを保持する保持部が設けられ、保持部には、解除ボタンを管体に取付けた状態で、回動軸の何れか片側の上部を係止する係止部が設けられているものである。
【発明の効果】
【０００９】
本発明に係る電気掃除機によれば、手元ハンドル体と延長管の接続を解除する解除ボタンを、手元ハンドル体に設けられた管体に取付けた状態で回動軸の上部を係止する係止部を設けたので、組立て作業において、解除ボタンが外れにくくなり、解除ボタン取付け以降の作業で、解除ボタンの外れに傾注する必要がなくなることから作業性が向上する。
【図面の簡単な説明】
【００１０】
【図１】本発明の実施の形態１に係る電気掃除機の全体斜視図である。
【図２】本発明の実施の形態１に係る電気掃除機の塵埃接続体（吸込口体）からホースに至る部位の左側面図である。
【図３】本発明の実施の形態１に係る電気掃除機の手元ハンドル体の左後方から見た斜視図である。
【図４】本発明の実施の形態１に係る電気掃除機の手元ハンドル体の左側面図である。
【図５】本発明の実施の形態１に係る電気掃除機の手元ハンドル体の縦断面図である。
【図６】本発明の実施の形態１に係る電気掃除機の手元ハンドル体の分解斜視図である。
【図７】本発明の実施の形態１に係る電気掃除機の手元ハンドル体の一部分解斜視図である。
【図８】本発明の実施の形態１に係る電気掃除機の手元ハンドル体の左側面図（左側面カバーを外した状態）である。
【図９】本発明の実施の形態１に係る電気掃除機の手元ハンドル体から上カバーを外した状態の斜視図である。
【図１０】本発明の実施の形態１に係る電気掃除機の手元ハンドル体の管体から解除ボタンを取り外した状態の要部拡大斜視図である。
【図１１】（ａ）本発明の実施の形態１に係る電気掃除機の手元ハンドル体の管体に設けられた解除ボタンの保持部の一例を側面方向から見た図、（ｂ）本発明の実施の形態１に係る電気掃除機の手元ハンドル体の管体に設けられた解除ボタンの保持部の他の例を側面方向から見た図、（ｃ）本発明の実施の形態１に係る電気掃除機の手元ハンドル体の管体に設けられた解除ボタンの取付け箇所を上方から見た模式図である。
【図１２】（ａ）本発明の実施の形態１に係る電気掃除機の手元ハンドル体の管体に解除ボタンを取付ける１つの過程の斜視図、（ｂ）本発明の実施の形態１に係る電気掃除機の手元ハンドル体の管体に解除ボタンを取付ける他の１つの過程の斜視図、（ｃ）本発明の実施の形態１に係る電気掃除機の手元ハンドル体の管体に解除ボタンを取付けた状態の斜視図である。
【図１３】（ａ）本発明の実施の形態１に係る電気掃除機の手元ハンドル体の管体に、上カバーを外して解除ボタンを取付けた状態で、解除ボタンの回動軸中心を通る断面図、（ｂ）本発明の実施の形態１に係る電気掃除機の手元ハンドル体の管体に、上カバーを付けて解除ボタンを取付けた状態で、解除ボタンの回動軸中心を通る断面図である。
【発明を実施するための形態】
【００１１】
実施の形態１．
（全体の構成）
以下、図１〜図１３を参照して実施の形態１を説明する。
なお、それぞれの図において、同じ部分または相当する部分には同じ符号を付し、一部の説明を省略する場合がある。
【００１２】
まず、図１〜図２を参照して、電気掃除機１について説明する。
図１は、本発明の実施の形態１に係る電気掃除機の全体斜視図である。図２は、本発明の実施の形態１に係る電気掃除機の塵埃接続体（吸込口体）からホースに至る部位の左側面図である。
【００１３】
図１〜図２に示すように、電気掃除機１は、本体（掃除機本体）２、ホース３、手元ハンドル体４、延長管５、吸込口体６を備える。
吸込口体６は、下向きに形成された開口から、床面上のごみ（塵埃）を空気と一緒に内部に取り込む部位である。この吸込口体６の吸気側の端部には、次に説明する延長管５に接続する接続管６ａが設けられている。
【００１４】
次に延長管５は、後述する手元ハンドル体４に接続する集塵接続体の１つであり、全体として真直ぐな円筒状を呈する。延長管５の一端部は吸込口体６の接続管６ａに接続し、他端部は手元ハンドル体４に接続する。
使用者は、延長管５に設けられたボタン５ａの操作を行うことにより、吸込口体６を延長管５から取り外すことができる。
【００１５】
延長管５は、吸気側の端部にブラシ５ｃを備える。このブラシ５ｃは、吸込口体６を外した状態で被清掃面に接触させて使用するもので、延長管５の吸気側の開口周辺に移動可能である。
使用者は、延長管５の排気側の端部に設けられた伸縮ボタン５ｂを操作することにより、延長管５を伸縮させることができる。
【００１６】
ここでは、手元ハンドル体４に接続される集塵接続体の例として、延長管５について説明したが、この他に、先端が窄んだ形状に構成され狭い部分の塵埃を吸い取りやすく構成されたノズルや、先端にブラシが植毛され隙間などの塵埃を書き出しやすく構成されたブラシ等も、集塵接続体である。
また、吸込口体６も、延長管５に取り付けることで、間接的に手元ハンドル体４に取り付けられることから集塵接続体である。
【００１７】
次に、手元ハンドル体４は、掃除を行う時に使用者が持つ部分であり、操作体となる部位である。使用者は、手元ハンドル体４を持ち、この手元ハンドル体４を操作して、集塵接続体を被清掃面に向けて落ちている塵埃を吸引する。
例えば、本実施の形態の場合、使用者は、手元ハンドル体４を操作して、延長管５に取り付けた吸込口体６の位置及び向きを変える。手元ハンドル体４の吸気側の端部（吸込み側開口４１）は、延長管５の排気側端部に接続する。
使用者は、手元ハンドル４に設けられた解除ボタン４ａを操作することにより、延長管５を手元ハンドル体４から取り外すことができる。手元ハンドル体４は、吸気側の端部に、延長管５を取り外した状態で使用するためのブラシ４００を備える。
【００１８】
次に、ホース３は、要部が可撓性を備えた蛇腹状である中空の部材からなる。ホース３の吸気側の端部は、手元ハンドル体４に接続される。ホース３の排気側の端部は、硬質の接続部３ａを備え、この接続部３ａが本体２に接続される。
本体２は、ホース３の接続部３ａが接続され、ごみを含む空気（含塵空気）からごみを分離する。この本体２は、後部に開口する排気口（図示せず）より、塵埃が取り除かれた空気（清浄空気）を排出する。空気から分離したごみは、本体２の内部に溜められる。
以上のように各部が接続されることで、吸込口体６や延長管５などの集塵接続体から、手元ハンドル体４、ホース３、そして、本体２へと至る一続きの風路Ｆが形成される。
【００１９】
次に、本体２は内部に、電動送風機１１、集塵部１２を備える。
電動送風機１１は、電気掃除機１に形成された風路Ｆに、吸込み側である集塵接続体から排気側である排気口に向けて本体２内部に流下する気流を発生させる。
この電動送風機１１が吸引動作を行うと、床面上のごみが空気と一緒に吸込口体６に吸い込まれる。吸込口体６に吸い込まれた含塵空気は、吸込口体６、延長管５、手元ハンドル体４、ホース３の各内部を通り、本体２に送られる。
【００２０】
集塵部１２は、本体２の内部に流入したごみを空気（気流）から分離する。集塵部１２は、空気から分離したごみを捕捉する。図１は、集塵部１２の一例として、紙パック式の分離装置を示している。集塵部１２として、サイクロン式の分離装置や他の方式の分離装置を採用してもよい。
【００２１】
また、本体２は、両側に大型の車輪１３を、下面に小型の車輪（図示せず）を備える。小型の車輪は、その向きを自在に変えることができるように取り付けられている。このため、本体２は、車輪１３及び小型の車輪が床面に接触した状態で向きを変えることができる。
【００２２】
次に、本実施の形態の要部である手元ハンドル体４について、図３〜図１３を参照して説明する。
図３〜図５を参照すると、手元ハンドル体４は、風路Ｆの一部を構成し基部となる管体４０と、この管体４０から分岐するように設けられる分岐部４４と、管体４０と分岐部４４の外郭を被う各カバー４８ａ〜４８ｅから構成される。
管体４０は、吸気側開口４１から排気側方向に向けて直線的に伸び、中ほどの位置（曲がり位置４３）から下斜め後ろ方向に折れ曲がり、排気側開口４２に向けて直線的に伸びる形状を成している。
【００２３】
管体４０の曲がり位置４３の後ろ側の上方には、分岐部４４が設けられる。
この分岐部４４は、管体４０の上面の分岐位置４５から上斜め後方に向けて延びる分岐前部４４ａと、この分岐前部４４ａの後ろ側から湾曲して下斜め後方に延び分岐後端４４ｃに至る分岐後部４４ｂから成り、分岐位置４５から分岐後端４４ｃに掛けてアーチ形状を成している。
尚、管体４０と分岐部４４は、樹脂成形により一体に形成されている。
【００２４】
そして、図５〜図７を参照すると、分岐前部４４ａの上面には、管体４０と分岐部４４の分岐している位置から分岐前部４４ａの後端に掛けて、左右一対の壁面４４ｅが形成されている。
そして、この左右の壁面４４ｅの間には、上面凹部４４ｇが形成される。この上面凹部４４ｇは、上方に向けて開口しており、凹部内部に、電動送風機のＯＮ／ＯＦＦや出力の変更を行う操作スイッチ４６ａや、手元ハンドル体４の動きや振動を検知するモーションセンサー４６ｂを実装した基板４６が設けられる。
【００２５】
また、左右の壁面４４ｅには、それぞれ、後述する上カバー４８ａの係合爪が係合する第１の係合開口４４ｈと、後述する左右カバー４８ｂ，４８ｃの係合爪４８２ｂ，４８２ｃが係合する第２の係合開口４４ｉが形成されている。
また、吸気側開口４１から分岐部４４に至る管体４０の上面には、非接触で外部機器との通信を行う通信手段４７と、吸気側開口４１に接続された集塵接続体を外す解除ボタン４ａが設けられる。
これら基板４６及び通信手段４７のいずれも、本体２に設けられた電気掃除機１の各部を制御する制御手段（図示せず）に電気的に接続され、信号を制御手段に出力する。
【００２６】
次に、図６〜図８を参照すると、管体４０の側面には、管体４０の伸びる方向に帯状に突出した管体リブ４０ｂが形成されている。この管体リブ４０ｂは、分岐部４４が接続する位置の下側に位置しており、管体４０の剛性を高めるためのものである。
また、分岐部４４の側面には、管体４０から分岐前部４４ａの端に向けて帯状に突出して伸びる分岐部リブ４４ｊが形成されている。この分岐部リブ４４ｊは、分岐部４４の剛性を高めるためのものである。
そして、排気側開口４２には、ホース３の開口内部に管体４０を挿入することにより、ホース３が接続する。
【００２７】
次に、図６〜図７を参照すると、以上ように各部が構成された管体４０及び分岐部４４の外郭には、次の各カバー４８が取り付けられ手元ハンドル体４の外観を形成する。
カバー４８ａ〜４８ｅの構成は、それぞれ上カバー４８ａと、左側面カバー４８ｂと、右側面カバー４８ｃと、左後側面カバー４８ｄと、右後側面カバー４８ｅとなっている。これらのカバーは、樹脂成形により形成されている。
【００２８】
まず、上カバー４８ａは、吸引側開口４１から分岐部４４の上面を被うカバーであり、解除ボタン４ａが操作可能な表面に貫通露出するボタン開口４８１ａと、基板４６に実装された操作スイッチに対向する位置に操作スイッチ押圧部４８２ａが形成されている。
操作スイッチ押圧部４８２ａは、表面に電動送風機の出力を変化させる旨を意味する「矢印マーク」、「ＯＮ／ＯＦＦ」、「エコモード」等の表示がなされており、当該位置を使用者が押圧することで、対応する操作スイッチが押されて、制御手段に信号が発信される。制御手段はこれらの信号に基づき、電動送風機の出力を制御する。
【００２９】
このように構成された上カバー４８ａは、分岐部４４に形成された第１の係合開口４４ｈに係合爪４８３ａが係合する。
そして、上カバー４８ａに開口するねじ開口４８５ａに、上方よりねじ４８４ａを通して、分岐部４４の上面に形成されたねじ穴４４ｄにねじ止めすることにより、吸引側開口４１から分岐部４４の上面を被った状態で管体４０に取り付け固定される。
上カバー４８ａが上記の通り取り付けられた状態において、分岐後部４４ｂの下面４４１ｂと、この分岐後部４４ｂの上面を被う上カバー４８ａの上面４８６ａにより、使用者が握る位置となる把持部４９ａが形成される。
【００３０】
次に、左側面カバー４８ｂは、管体４０の下面から左側面に至り、分岐前部４４ａの左側面を経て、分岐部４４の上面左側まで至る管体４０と分岐部４４を覆うカバーである。
この左側面カバー４８ｂの裏面には、複数の係合爪４８２ｂが設けられている。この係合爪４８２ｂが、管体４０の下面に設けられた管体係合開口４０ｃ、及び、分岐部４４に形成された第２の係合開口４４ｉに係合することにより、管体４０から分岐部４４に渡って取り付けられる。
【００３１】
この左側面カバー４８ｂは、管体４０の表面に取り付けられることから、管体４０の外面より左側面カバー４８ｂの厚み分、外側に突出した外郭を形成する。つまり、管体４０と左側面カバー４８ｂとの間に段差が形成される。
【００３２】
ここで、左側面カバー４８ｂは、上カバー４８ａが分岐部４４に取り付けた後に取り付けられる。これにより、左側面カバー４８ｂの取り付け前に、第２の係合開口４４ｉから、基板４６の取り付け位置である上面凹部４４ｇを確認することができる。
つまり、第２の係合開口４４ｉは、基板４６が取り付けられたか否かを確認する開口として用いることができる。尚、この確認用の開口は、第２の係合開口４４ｉとは、別途形成しても良い。
【００３３】
次に、右側面カバー４８ｃは、管体４０の下面から右側面に至り、分岐前部４４ａの右側面を経て、分岐部４４の上面右側まで至る管体４０と分岐部４４を覆うカバーである。
この右側面カバー４８ｃの裏面には、複数の係合爪４８２ｃが設けられている。この係合爪４８２ｃが、管体４０の下面に設けられた管体係合開口４０ｃ、及び、分岐部４４に形成された第２の係合開口４４ｉに係合することにより、管体４０から分岐部４４に渡って取り付けられる。
【００３４】
この右側面カバー４８ｃは、管体４０の表面に取り付けられることから、管体４０の外面より右側面カバー４８ｃの厚み分、外側に突出した外郭を形成する。つまり、管体４０と右側面カバー４８ｃとの間に段差が形成される。
【００３５】
ここで、右側面カバー４８ｃは、上カバー４８ａが分岐部４４に取り付けた後に取り付けられる。これにより、左側面カバー４８ｃの取り付け前に、第２の係合開口４４ｉから、基板４６の取り付け位置である上面凹部４４ｇを確認することができる。
つまり、第２の係合開口４４ｉは、基板４６が取り付けられたか否かを確認する開口として用いることができる。尚、この確認用の開口は、第２の係合開口４４ｉとは、別途形成しても良い。
【００３６】
以上の左側面カバー４８ｂと右側面カバー４８ｃは、互いに対称となる形状で構成されおり、これらを上記の通り取り付けることで、管体４０の下側と分岐部４４の上側の位置において、左側面カバー４８ｂと右側面カバー４８ｃが合わさる形状となっている。
従って、左右側面カバー４８ｂ，４８ｃが管体４０及び分岐部４４に取り付けられることで、管体４０及び分岐部４４の表面に形成された管体リブ４０ｂ及び分岐部４４を覆い隠し、手元ハンドル体４の一方の側面から他方の側面に連続的に至る外観意匠面を形成する。
【００３７】
以上の手元ハンドル体４において、上記の通り、管体４０及び分岐部４４と左右側面カバー４８ｂ、４８ｃを別部材にすることで、左右側面カバー４８ｂ、４８ｃに傷や汚れがついても、容易にカバーを交換することができる。
特に、手元ハンドル体４は後ろ端にホース３が設けられるので、手元ハンドル体４を落とした場合、床面と接触するのは左右側面カバー４８ｂ、４８ｃである可能性が高いことから、傷のついた側面カバーの交換のみで、傷やよごれに対応する修理が済む。
【００３８】
更に、左右側面カバー４８ｂ、４８ｃは、意匠面となる表面は急な曲面や角となる部位が無い緩やかな曲面であることから、フローマーク（成形不良）が起こり難い。従って、左右側面カバー４８ｂ、４８ｃを成形する際に、成形材料である樹脂に、意匠性を向上させる材料（例えば、光を反射して輝きを見せるメタリック材料（アルミ粉末）など）を練り込み成形する手法（以下、練りみ成形）を用いることができる。
これにより、成形時にフローマークが起こりやすい複雑な形状の部位を有する手元ハンドル体４であっても、樹脂成形で塗装に近い質感である外観意匠を得ることができる。
【００３９】
また、この左右側面カバー４８ｂ、４８ｃをエラストマー等の軟質部材で構成すれば、手元ハンドル体４を落下させたとき、手元ハンドル体４が受ける衝撃を和らげることができる。
【００４０】
（解除ボタン取付け構成）
次に図９〜図１３を参照して、解除ボタン４ａの取付け構成について説明する。
図９を参照すると、手元ハンドル体４に上カバー４８ａが取付けられていない状態で、解除ボタン４ａが保持され取付けられている。解除ボタン４ａは、延長管５との接続を解除するためのボタンであるので、延長管５と接続される吸気側開口４１に近い位置に設けられている。
【００４１】
図１０、図１２を参照すると、解除ボタン４ａには回動軸４ｂ、４ｃが設けられている。解除ボタン４ａは、回動軸を中心にシーソーのような動作をするようになっている。解除ボタン４ａに丸状に設けられている解除押圧箇所４ｄを押すと、手元ハンドル体４と延長管５との接続状態を保持する図示しない係合手段が外れ、手元ハンドル体４から延長管５を外せるようになる。
【００４２】
つまり、解除ボタン４ａは、延長管５の長手方向と同方向が解除動作の方向となり、その方向と直交する方向に設けられた回動軸４ｂ、４ｃを中心にしてシーソーのような動作をするようになっている。
【００４３】
解除ボタン４ａの解除押圧箇所４ｄは、付勢手段５０によって、手元ハンドル体４と延長管５の接続状態を解除する解除動作に反する方向に付勢されている。付勢手段５０は、例えばワイヤーを円筒状に巻いた弦巻ばねで、一端を手元ハンドル体４の管体４０に設けられた付勢手段保持ボス４１１の外周に沿うように挿入され、もう一端を解除ボタン４ａに設けられた図示しない穴部に挿入するように保持される。
【００４４】
解除ボタン４ａを取付けるための構成は、管体４０上に回動軸４ｂ側を保持する側に、回動軸４ｂを挿入するための回動軸挿入開口４１３を有する回動軸保持部４１２が設けられている。回動軸挿入開口４１３の上方（管体４０と反対）側には、回動軸係止部４１４が設けられている。
【００４５】
回動軸保持部４１２に設けられる回動軸開口は、図１１（ａ）に示すように円形の回動軸開口４１３でもよいし、図１１（ｂ）に示すように回動軸係止部４１４側が直線のような回動軸開口４２０のような形状でもよく、開口の形状は適宜選択可能である。
【００４６】
回動軸係止部４１４は、図１１（ｃ）に示すように上方（管体４０と反対）側から見ると、回動軸保持部４１２の破線で示した回動軸開口４１３（あるいは４２０）の上方を覆うように設けられている。
【００４７】
回動軸４ｃ側を保持する側には、壁面４１５ａを有する回動軸受け部４１５が設けられている。図１０及び図１１（ｃ）に示すように、回動軸受け部４１５は凹形状をしており、その凹形状のところに、回動軸４ｃが収まるようになっている。
【００４８】
図１２の（ａ）から（ｃ）は、手元ハンドル体４の管体４０に解除ボタン４ａを取付ける状態の遷移を表しており、まず図１２（ａ）のように、付勢手段５０を付勢手段保持ボス４１１に挿入し、その上から解除ボタン４ａを下ろし、回動軸４ｂを回動軸保持部４１２の回動軸挿入開口４１３に斜めの状態で挿入を始める。
【００４９】
その状態から、図１２（ｂ）のように、解除ボタン４ａが真っ直ぐになるように回動軸４ｃ側を押し込んでいく。このとき、回動軸４ｃの端部が、斜めに回動軸受け部４１５の壁面４１５ａに当たりながら圧入するようにして押し込まれていくようになる。
【００５０】
解除ボタン４ａが真っ直ぐになる図１２（ｃ）の位置まで押し込むと、図１３（ａ）に示すように、回動軸４ｃの端面が回動軸受け部４１５の壁面４１５ａと平行となり、回動軸４ｂの上部（上カバー４８ａ装着側）が回動軸係止部４１４に係止されるようになる。
【００５１】
このように、回動軸４ｃの端部を、斜めに回動軸受け部４１５の壁面４１５ａに当たりながら圧入するようにして回動軸４ｃの端面が回動軸受け部４１５の壁面４１５ａと平行となる位置まで押し込んでいるので、回動軸受け部４１５の壁面４１５ａが抵抗となり、回動軸４ｂの上部が回動軸係止部４１４に係止されているので、解除ボタン４ａが外れにくくなる。
【００５２】
よって、上カバー４８ａが装着されていない状態でも、解除ボタン４ａが外れにくくなっており、上カバー４８ａの組立て作業工程において、解除ボタン４ａの外れに傾注する必要がなくなることから、上カバー４８ａの組立て作業性が向上する。
【００５３】
上カバー４８ａは、前述のように係合爪４８３ａと４８４ａにより取付けられる。上カバー４８ａが取付けられると、図１３（ｂ）に示すように、回動軸係止部４１４に係止されていない側の回動軸４ｃの上部が、上カバー４８ａに設けられた回動軸押さえ部４８９に押さえられる。
【００５４】
これにより、回動軸４ｂは回動軸係止部４１４に係止され、回動軸４ｃは回動軸押さえ部４８９に押さえられて、解除ボタン４ａの取付け状態はより確実となり、解除動作が安定して行えるようになる。
【００５５】
以上のように、本発明の実施の形態１に係る電気掃除機によれば、解除ボタン４ａの回動軸４ｂの上部が回動軸係止部４１４に係止されるようにしたので、上カバー４８ａが装着されていない状態でも、解除ボタン４ａが外れにくくなり、解除ボタン取付け以降の作業、上カバー４８ａの組立て作業工程において、解除ボタン４ａの外れに傾注する必要がなくなることから、上カバー４８ａの組立て作業が安定し作業性が向上する。
【符号の説明】
【００５６】
Ｆ  風路、１  電気掃除、２  本体、３  ホース、３ａ  接続部、４  手元ハンドル体、４ａ  解除ボタン、４ｂ  回動軸、４ｃ  回動軸  ４ｄ  解除押圧箇所、５  延長管、５ａ  ボタン、５ｂ  伸縮ボタン、５ｃ  ブラシ、６  吸込口体、６ａ  接続管、１１  電動送風機、１２  集塵部、１３  車輪、４０  管体、４０ｂ  管体リブ、４０ｃ  管体係合開口、４１  吸気側開口、４２  排気側開口、４３  曲がり位置、４４  分岐部、４４ａ  分岐前部、４４ｂ  分岐後部、４４ｃ  分岐後端、４４ｅ  壁面、４４ｄ  ねじ穴、４４ｇ  上面凹部、４４ｈ  第１の係合開口、４４ｉ  第２の係合開口、４４ｊ  分岐部リブ、４５  分岐位置、４６  基板、４６ａ  操作スイッチ、４６ｂ  モーションセンサー、４７  通信手段、４８ａ  上カバー、４８ｂ  左側面カバー、４８ｃ  右側面カバー、４８ｄ  左後ろ側面カバー、４８ｅ  右後側面カバー、４９ａ  把持部、５０  付勢手段、４００  ブラシ、４１１  付勢手段保持ボス、４１２  回動軸保持部、４１３  回動軸挿入開口、４１４  回動軸係止部、４１５  回動軸受け部、４１５ａ  壁面、４４１ｂ  分岐後部下面、４８１ａ  ボタン開口、４８２ａ  操作スイッチ押圧部、４８２ｂ  係合爪、４８２ｃ  係合爪、４８３ａ  係合爪、４８４ａ  ねじ、４８５ａ  ねじ開口、４８６ａ  上カバー上面、４８９  回動軸押さえ部。
【図１】
2015221153.tif 000003
【図２】
2015221153.tif 000004
【図３】
2015221153.tif 000005
【図４】
2015221153.tif 000006
【図５】
2015221153.tif 000007
【図６】
2015221153.tif 000008
【図７】
2015221153.tif 000009
【図８】
2015221153.tif 000010
【図９】
2015221153.tif 000011
【図１０】
2015221153.tif 000012
【図１１】
2015221153.tif 000013
【図１２】
2015221153.tif 000014
【図１３】
2015221153.tif 000015